(57)【要約】【課題】大型画面を具現するに適しているバックライトアセンブリを提供する。【解決手段】バックライトアセンブリ及びこれを有する液晶表示装置においては、第１収納容器３００は二つ以上の部材３１０，３２０，３３０，３４０からなり、部材の締結によりフレーム形状に形成され、光を発生する一つ以上のランプ２１０と光拡散部材２３０を収納する。バックライトアセンブリ及びこれを用いた液晶表示装置のサイズが段々大型化されるにつれて、第１収納容器のサイズが大型化されても、小さいサイズを有する部材を製造した後、これらを組立てて一つの大型第１収納容器を完成するために、大型画面を具現するバックライトアセンブリ及び液晶表示装置の生産性及び組立精度を向上させることができる。【選択図】　　　図１
2004055524.tif 000002
【特許請求の範囲】
【請求項１】
第１ランプ端部および第２ランプ端部を有し、光を発生するための一つ以上のランプと、
前記光を均一な輝度分布を有するように拡散する光拡散部材と、
二つ以上の部材からなり、前記部材の締結によりフレーム形状に形成され、前記ランプ及び光拡散部材を収納する第１収納容器と、
を含むことを特徴とするバックライトアセンブリ。
【請求項２】
前記第１収納容器は、
前記ランプの長さ方向と平行な第１部材と、
前記第１部材と平行な第２部材と、
前記第１部材と第２部材との間に結合され、前記第１ランプ端部を収納する第３部材と、
前記第１部材と第２部材との間に結合され、前記第２ランプ端部を収納する第４部材と、
を含むことを特徴とする請求項１に記載のバックライトアセンブリ。
【請求項３】
前記第３部材は、第１及び第２端部を有する第１中心部と、前記第１中心部の前記第１端部から垂直方向に延びた第１結合部と、前記第１中心部の前記第２端部から前記第１結合部と平行に延びた第２結合部とを備え、
前記第４部材は前記第１中心部と向き合って、第１及び第２端部を有する第２中心部と、前記第２中心部の前記第１端部から前記第１結合部に向かって延びた第３結合部と、前記第２中心部の前記第２端部から第３結合部と平行に延びた第４結合部とを備えることを特徴とする請求項２に記載のバックライトアセンブリ。
【請求項４】
前記第１結合部には、前記第１部材の第１端部を収納する第１収納溝が形成され、前記第２結合部には前記第２部材の第１端部を収納する第２収納溝が形成され、前記第３結合部には前記第１部材の第２端部を収納する第３収納溝が形成され、前記第４結合部には前記第２部材の第２端部を収納する第４収納溝が形成されることを特徴とする請求項３に記載のバックライトアセンブリ。
【請求項５】
前記第３部材は前記第１及び第２結合部において、前記第１部材の第１端部及び前記第２部材の第１端部に各々スクリュー締結され、前記第４部材は前記第３及び第４結合部において、前記第１部材の第２端部及び前記第２部材の第２端部に各々スクリュー締結されることを特徴とする請求項４に記載のバックライトアセンブリ。
【請求項６】
前記バックライトアセンブリは、
前記第１ランプ端部を収納するための収納空間が形成されたランプホルダーをさらに備え、
前記第３部材には前記ランプホルダーを収納するランプ収納溝が形成されたことを特徴とする請求項２に記載のバックライトアセンブリ。
【請求項７】
前記バックライトアセンブリは、
前記第２ランプ端部を収納するための収納空間が形成されたランプホルダーを備え、
前記第４部材には前記ランプホルダーを収納するランプ収納溝が形成されたことを特徴とする請求項２に記載のバックライトアセンブリ。
【請求項８】
前記光拡散部材は、前記第１収納容器上に配置され、前記ランプから発生された光を拡散させるための拡散板であり、さらに、
中心部と、中心部から外側に延びた固定部を備え、前記拡散板上に配置され前記拡散された光の光学特性を向上させる光学シートが設けられており、
前記第３及び第４部材の上部面には前記光学シートの固定部に形成された固定ホールに挿入されることにより、前記光学シートを前記第３及び第４部材に固定するためのシート固定用突起が各々形成されることを特徴とする請求項２に記載のバックライトアセンブリ。
【請求項９】
前記第１収納容器は、
第１中心部と、前記第１中心部の第１端部から垂直方向に延びた第２中心部からなり、第１及び第２端部を有する第１部材と、
前記第１中心部と平行に延びた第３中心部と、前記第３中心部の第１端部から垂直方向に延びた第４中心部からなり、前記第１部材の第１及び第２端部と締結される第２部材と、
からなることを特徴とする請求項１に記載のバックライトアセンブリ。
【請求項１０】
前記第１部材は前記第２中心部の第１端部から前記第１中心部と平行な方向に延び、前記第３中心部の第２端部と締結される第１結合部をさらに備え、
前記第２部材は前記第４中心部の第１端部から前記第３中心部と平行に延び、前記第１中心部の第２端部と締結される第２結合部をさらに備えることを特徴とする請求項９に記載のバックライトアセンブリ。
【請求項１１】
前記バックライトアセンブリは、
前記第１ランプ端部を収納するための収納空間が形成された第１ランプホルダーと、
前記第２ランプ端部を収納するための収納空間が形成された第２ランプホルダーとを備え、
前記第２中心部には前記第１ランプホルダーを収納する第１ランプ収納溝が形成され、前記第４中心部には前記第２ランプホルダーを収納する第２ランプ収納溝が形成されたことを特徴とする請求項９に記載のバックライトアセンブリ。
【請求項１２】
基底面と、前記基底面から延びた側壁からなり、前記第１収納容器を収納する第２収納容器と、
前記第２収納容器の基底面上に配置され、前記ランプから発生された光を前記光拡散部材側に反射するための光反射部材とをさらに含むことを特徴とする請求項１に記載のバックライトアセンブリ。
【請求項１３】
第１ランプ端部及び第２ランプ端部を有し、光を発生するための一つ以上のランプと、
前記光を均一な輝度分布を有するように拡散する光拡散部材と、
二つ以上の部材からなり、前記部材の締結によりフレーム形状に形成され、前記ランプ及び光拡散部材を収納する第１収納容器と、
基底面と、前記基底面から延びた側壁からなり、前記第１収納容器を収納する第２収納容器と、
前記光の提供を受けて液晶により映像を表示するための液晶表示パネルと、
前記第２収納容器と結合して前記液晶表示パネルを前記第１収納容器に固定するためのシャーシと、
を含むことを特徴とする液晶表示装置。
【請求項１４】
前記第１収納容器は、
前記ランプの長さ方向と平行な第１部材と、
前記第１部材と平行な第２部材と、
前記第１及び第２部材との間に結合され、前記第１ランプ端部を収納する第３部材と、
前記第１及び第２部材との間に結合され、前記第２ランプ端部を収納する第４部材と、
を含むことを特徴とする請求項１３に記載の液晶表示装置。
【請求項１５】
前記第１部材は前記第２収納容器の側壁と対面する第１外側壁面と、前記第１外側壁面から傾いた状態で内側に延びて、前記ランプから発生された光を前記液晶表示パネル側に反射するための第１内側壁面とを含み、
前記第２部材は前記第２収納容器の側壁と対面する第２外側壁面と、前記第２外側壁面から傾いた状態で内側に延びて前記ランプから発生された光を液晶表示パネル側に反射するための第２内側壁面とを含むことを特徴とする請求項１４に記載の液晶表示装置。
【請求項１６】
前記バックライトアセンブリは、
前記第１ランプ端部を収納するための収納空間が形成された第１ランプホルダーと、
前記第２ランプ端部を収納するための収納空間が形成された第２ランプホルダーとをさらに備え、
前記第３部材には前記第１ランプホルダーを収納する第１ランプ収納溝が形成され、前記第４部材には前記第２ランプホルダーを収納する第２ランプ収納溝が形成されたことを特徴とする請求項１４に記載の液晶表示装置。
【請求項１７】
前記第１及び第２部材は金属材質からなり、前記第３及び第４部材はプラスチック材質からなったことを特徴とする請求項１４に記載の液晶表示装置。
【請求項１８】
前記光拡散部材上に配置され前記光拡散部材を前記第１収納容器側に加圧し、前記液晶表示パネルを支持するための第３収納容器をさらに含むことを特徴とする請求項１３に記載の液晶表示装置。
【発明の詳細な説明】
【０００１】
【発明の属する技術分野】
本発明はバックライトアセンブリ及びこれを有する液晶表示装置に関するものであり、より詳細には、大型画面を具現するに適合するバックライトアセンブリ及びこれを有する液晶表示装置に関するものである。
【０００２】
【従来の技術】
最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
ディスプレー装置としては、軽量、小型でありながら、フル−カラー、高解像度化などの機能を有する液晶表示装置の開発が進んでいる。液晶表示装置は液晶セルの光学的性質の変化を視覚変化へ変換するディスプレー装置である。このような液晶表示装置は、自体的に発光しないので、液晶表示パネルの後面に付着されたバックライトアセンブリから光の供給を受けて画像を表示する。
【０００４】
バックライトアセンブリは光源の位置により直下型（ｄｉｒｅｃｔ　ｔｙｐｅ）と、エッジ（ｅｄｇｅ　ｔｙｐｅ）型に区分される。直下型は液晶表示パネルの下部に光源を置いて液晶表示パネルの全面を直接照明する方式として、エッジ型と比較して複数個の光源を利用することができるので、高い輝度を確保することができるという長所を有する。
【０００５】
一般の直下型液晶表示装置は、画像信号が印加され画面を表示するためのディスプレーユニットと、ディスプレーユニットに光を提供するための直下型バックライトアセンブリからなる。
【０００６】
一方、直下型バックライトアセンブリは、一つ以上のランプと、ランプ反射板と、拡散板と、これらを収納するための収納容器からなる。具体的に、ランプは光を発生し、拡散板はランプの上部に配置されランプから提供される光を拡散させ、均一な輝度分布を有する光として射出する。また、ランプ反射板はランプの下部に配置され、光を拡散板側に反射することにより拡散板に提供される光の光量を増加させる。
【０００７】
収納容器は下方モールドフレームとボトムシャーシからなる。具体的に、下方モールドフレームはランプを収納して指定された位置に固定させ、上部に形成された端棚部には拡散板が定着される。ボトムシャーシは基底面と、基底面から延びた側壁からなる。ボトムシャーシの基底面上にはランプ反射板が設けられ、その上に下方モールドフレームを収納する。
【０００８】
一方、拡散板上には上方モールドフレームが配置される。上方モールドフレームは矩形フレーム形状で形成され、拡散板を下方モールドフレーム側に加圧する。また、液晶表示パネルが定着される端棚部を備えて液晶表示パネルを安定的に支持する。
【０００９】
液晶表示パネル上にはトップシャーシが提供され、トップシャーシはボトムシャーシと結合される。これにより、液晶表示装置が完成される。
【００１０】
最近、液晶表示装置のサイズが段々大型化されるにつれて、ディスプレーユニットとバックライトアセンブリを収納する各種収納容器のサイズも増加してきている。収納容器は材質に応じ異なる製造方法が適用されるが、下方モールドフレームや上方モールドフレームの場合には射出成形により製造されている。
【００１１】
この時、大型下方及び上方モールドフレームを射出成形により製造する場合に移送設備のサイズも増加される。従って、製造工程上の困難点が発生されるだけでなく、射出器及びその他の設備をサイズに合うように再製造しなければならないので、製造費用が増加される。従って、大型設備による液晶表示装置の工程の困難点と、原価上昇により生産性が低下されるという問題点がある。
【００１２】
具体的に、射出は高温環境で行われるために、完成された後にはある程度伸張または縮小される。これにより、完成された下方及び上方モールドフレームの寸法が正確ではなく、または形態が捩じれるなどの捩じれ現象が発生される。従って、下方及び上方モールドフレームの生産性が低下され、バックライトアセンブリ及び液晶表示装置の組立品質が低下されるという問題点がある。
【００１３】
【発明が解決しようとする課題】
本発明の目的は、生産性を向上させることができ、組立品質を向上させることができるバックライトアセンブリを提供することにある。
【００１４】
本発明の他の目的は、生産性を向上させることができ、組立品質を向上させることができるバックライトアセンブリを有する液晶表示装置を提供することにある。
【００１５】
【発明の解決するための手段】
上述した目的を達成するための本発明によるバックライトアセンブリは、第１ランプ端部および第２ランプ端部を有し、光を発生するための一つ以上のランプと、前記光を均一な輝度分布を有するように拡散する光拡散部材と、二つ以上の部材からなり、前記部材の締結によりフレーム形状に形成され、前記ランプ及び光拡散部材を収納する第１収納容器とを含む。
【００１６】
上述した他の目的を達成するための本発明による液晶表示装置は、第１ランプ端部及び第２ランプ端部を有し、光を発生するための一つ以上のランプと、前記光を均一な輝度分布を有するように拡散する光拡散部材と、二つ以上の部材からなり、前記部材の締結によりフレーム形状に形成され、前記ランプ及び光拡散部材を収納する第１収納容器と、基底面と、前記基底面から延びた側壁からなって、前記第１収納容器を収納する第２収納容器と、前記光の提供を受けて液晶により映像を表示するための液晶表示パネルと、前記第２収納容器と結合して前記液晶表示パネルを前記第１収納容器に固定するためのシャーシとを含む。
【００１７】
このような、バックライトアセンブリ及びこれを有する液晶表示装置によると、バックライトアセンブリ及びこれを有する液晶表示装置のサイズが段々大型化されるにつれて、第１収納容器のサイズが大型化されても、小さいサイズを有する部材を製造した後、これらを組立てて一つの大型の第１収納容器を完成するから、大型画面を具現するバックライトアセンブリ及び液晶表示装置の生産性及び組立精度を向上させることができる。
【００１８】
【発明の実施の形態】
以下、図面を参照して本発明の望ましい一実施形態をより詳細に説明する。
【００１９】
図１は、本発明の一実施形態による直下型液晶表示装置を具体的に示した分解斜視図である。図２は図１に示した直下型液晶表示装置を切断線Ａ−Ａ′に沿って切断した断面図である。
【００２０】
図１及び図２に示すように、本発明の一実施形態による直下型液晶表示装置１０００は画像信号が印加され、画面を示すためのディスプレーユニット１００と、ディスプレーユニット１００に光を提供するための直下型バックライトアセンブリ５００からなる。
【００２１】
ディスプレーユニット１００は液晶表示パネル１１０と、データ印刷回路基板１２０と、ゲート印刷回路基板１３０と、データ側テープキャリアパッケージ（以下、ＴＣＰと称する）１４０と、及びゲート側ＴＣＰ１５０とを含む。液晶表示パネル１１０はＴＦＴ基板１１１と、カラーフィルタ基板１１３と、二基板間に注入された液晶（図示せず）を含む。
【００２２】
ＴＦＴ基板１１１はマトリックス状のＴＦＴ（図示せず）が形成されている透明なガラス基板である。ＴＦＴのソース端子にはデータラインが連結され、ゲート端子にはゲートラインが連結される。かつ、ドレーン端子は透明な導電性材質であるインジウムティンオキサイド（ＩＴＯ）より成る画素電極を用いて形成される。データライン及びゲートラインに電気信号を入力すると、各々のＴＦＴのソース端子とゲート端子に電気信号が入力され、この電気的な信号の入力に従ってＴＦＴはターンオンまたはターンオフされて、ドレーン端子を介して画素形成に必要な電気信号が出力される。
【００２３】
一方、カラーフィルタ基板１１３は光が通過すると所定の色が発現される色画素であるＲＧＢ画素が薄膜工程により形成された基板である。カラーフィルタ基板１１３の前面にはＩＴＯから成る共通電極が塗布されている。
【００２４】
前述したＴＦＴ基板１１１のトランジスターのゲート端子及びソース端子に電圧が印加されてＴＦＴ基板がターンオンされると、画素電極とカラーフィルタ基板１１３の共通電極との間には電界が形成される。このような電界によりＴＦＴ基板１１１とカラーフィルタ基板１１３の間に注入された液晶の配列角が変化し、変化した配列角に従って光透過率が変更されて所望の画素を得ることになる。
【００２５】
図示したように、液晶表示パネル１１０のデータラインにはデータ駆動信号の印加時期を決定するデータ側ＴＣＰ１４０が付着されており、ゲートラインにはゲートの駆動信号の印加時期を決定するためにゲート側ＴＣＰ１５０が付着されている。データ印刷回路基板１２０はデータ側ＴＣＰ１４０と接続され液晶表示パネル１１０の外部から映像信号の入力を受けてデータラインに駆動信号を印加する。ゲート印刷回路基板１３０はゲート側ＴＣＰ１５０と接続され、ゲートラインに駆動信号を印加する。
【００２６】
図１では図示しないが、データ印刷回路基板１２０とゲート印刷回路基板１３０が統合された統合印刷回路基板（図示せず）一つのみを備えることができる。
【００２７】
一方、直下型バックライトアセンブリ５００は一つ以上のランプ２１０と、ランプ反射板２２０と、拡散板２３０と、光学シート２４０と、これらを収納するための収納容器３００、４００からなる。具体的に、ランプ２１０は光を発生し、拡散板２３０はランプ２１０の上部に配置されランプ２１０から提供される光を拡散させ、均一な輝度分布を有する光として射出する。また、ランプ反射板２２０はランプ２１０の下部に配置され光を拡散板２３０側に反射することにより、拡散板２３０に提供される光の光量を増加させる。光学シート２４０は拡散板２３０から拡散された光の輝度特性を補償する。
【００２８】
前述したランプ２１０の両端部には、第１及び第２ランプホルダー２１１ａ、２１２ａが各々結合されている。第１及び第２ランプホルダー２１１ａ、２１２ａは、ランプ２１０の両端部で結合され、ランプ２１０に電力を提供する電極線（図示せず）の位置を支持する役割を有する。
【００２９】
一方、収納容器は下方モールドフレーム３００と、ボトムシャーシ４００からなる。下方モールドフレーム３００は二つ以上の部材３１０、３２０、３３０、３４０からなり、部材３１０、３２０、３３０、３４０の締結により矩形フレーム形状で形成される。前述した下方モールドフレーム３００には複数のランプ２１０が並列方式に収納され、上部に形成された端棚部には拡散板２３０と光学シート２４０が順に定着される。
【００３０】
ボトムシャーシ４００は基底面４１０と、基底面４１０から延びた側壁４２０からなった収納空間を形成する。ボトムシャーシ４００の基底面４１０上にはランプ反射板２２０が設けられ、その上に下方モールドフレーム３００が収納される。
【００３１】
光学シート２４０上へは上方モールドフレーム６００が配置される。上方モールドフレーム６００は矩形フレーム形状で形成され、拡散板２３０と光学シート２４０を下方モールドフレーム３００側に加圧して固定する。また、上方モールドフレーム６００上には液晶表示パネル１１０が定着されることにより、液晶表示パネル１１０を安定的に支持する。
【００３２】
上方モールドフレームも下方モールドフレームと同様に二つ以上の部材からなり、これらの組立により一つの上方モールドフレームとして具現されることができる。
【００３３】
液晶表示パネル１１０上へはトップシャーシ７００が提供される。トップシャーシ７００は上部面と該上部面から延びた側壁からなった断面がかすがい様の形状を有する。ここで、トップシャーシ７００の上部面は液晶表示パネル１１０の周辺部を加圧し、トップシャーシ７００の側壁はボトムシャーシ４００の側壁と結合される。これにより、直下型液晶表示装置１０００が完成される。
【００３４】
図３は図２に示した下方モールドフレームの構造を具体的に示した分解斜視図である。図４は図３に示した下方モールドフレームが組立てられた状態で切断線Ｂ−Ｂ′に沿って切断した断面図である。
【００３５】
図３に示すように、下方モールドフレーム３００は第１部材３１０と、第１部材３１０と並べて延ばされた第２部材３２０と、一端部が第１部材３１０の一端部と締結され、他端部が第２部材３２０の一端部と締結される第３部材３３０と、一端部が第１部材３１０の他端部と締結され、他端部が第２部材３２０の他端部と締結される第４部材３４０とを含む。
【００３６】
ここで、第３部材３３０は第１中心部３３１と、第１中心部３３１の一端部から垂直方向に延びた第１結合部３３２と、第１中心部３３１の他端部から第１結合部３３２と並同方向に延びた第２結合部３３３を備える。また、第４部材３４０は第２中心部３４１と、第２中心部３４１の一端部から第１結合部３３２に向かって延びた第３結合部３４２と、第２中心部３４１の他端部から第３結合部３４２と同方向に延びた第４結合部３４３を備える。
【００３７】
図３及び図４に示すように、第１結合部３３２には第１部材３１０の一端部３１１を収納する第１収納溝３３２ａが形成され、第２結合部３３３には第２部材３２０の一端部３２１を収納する第２収納溝３３３ａが用意されている。また、第３結合部３４２には第１部材３１０の他端部３１２を収納する第３収納溝３４２ａが形成され、第４結合部３４３には第２部材３２０の他端部３２２を収納する第４収納溝３４３ａが用意される。
【００３８】
ここで、第１及び第２部材３１０、３２０の両端部３１１、３１２、３２１、３２２の幅は、第１乃至第４収納溝３３２ａ、３３３ａ、３４２ａ、３４３ａに挿入される程度の値を有する。即ち、第１及び第２部材３１０、３２０の両端部３１１、３１２、３２１、３２２は第１乃至第４収納溝３３２ａ、３３３ａ、３４２ａ、３４３ａの幅と同一、またはそれよりやや小さい幅を有する。従って、第１及び第２部材３１０、３２０の両端部３１１、３１２、３２１、３２２が第１乃至第４収納溝３３２ａ、３３３ａ、３４２ａ、３４３ａに堅固に締結される。
【００３９】
一方、第１結合部３３２の上部には第１結合孔３３２ｂが形成され、第２結合部３３３の上部には第２結合孔３３３ｂが形成される。これに対応して、第１部材３１０の一端部３１１と第２部材３２０の一端部３２１各々には所定の高さに突出した第１及び第２結合突起３１１ａ、３２１ａが形成される。従って、第１部材３１０は第１結合突起３１１ａが第１結合孔３３２ｂに締結されることにより、第３部材３３０と完全に結合され、第２部材３２０は第２結合突起３２１ａが第２結合孔３３３ｂに締結されることにより第３部材３３０と完全に結合される。
【００４０】
また、第３結合部３４２の上部には第３結合孔３４２ｂが形成され、第４結合部３４３の上部には第４結合孔３４３ｂが形成される。これに対応して、第１部材３１０の他端部３１２と第２部材３２０の他端部３２２各々には所定の高さに突出した第３及び第４結合突起３１２ａ、３２２ａが形成される。従って、第１部材３１０は第３結合突起３１２ａが第３結合孔３４２ｂに締結されることにより、第４部材３４０と完全に結合され、第２部材３２０は第４結合突起３２２ａが第４結合孔３４３ｂに締結されることにより第４部材３４０と完全に結合される。
【００４１】
図３乃至図４に示すように、第１及び第２部材３１０、３２０には第１乃至第４結合突起３１１ａ、３１２ａ、３２１ａ、３２２ａが形成され、第３及び第４部材３３０、３４０には、第１乃至第４結合孔３３２ｂ、３３３ｂ、３４２ｂ、３４３ｂが形成された構造を本発明の一実施形態として提示した。しかし、結合孔と結合突起の位置は互いに逆の配置で形成することができる。即ち、図示しなかったが、第１及び第２部材３１０、３２０に結合孔が形成され、第３及び第４部材３３０、３４０には結合孔に締結される結合突起が形成されるような構成にもできる。
【００４２】
ここで、第１乃至第４部材３１０、３２０、３３０、３４０の各々は同一の材質とすることができる。しかし、下方モールドフレーム３００の強度を向上させるために、一部部材の材質を強度が高い材質により構成することができる。具体的に、第１及び第２部材３１０、３２０は金属材質からなり、第３及び第４部材３３０、３４０は第１及び第２部材３１０、３２０より強度が低いプラスチック材質からなるようにできる。
【００４３】
図５は本発明の他の実施形態による下方モールドフレームの結合構造を示した分解斜視図である。図６は図５に示した下方モールドフレームが組立てられた状態を切断線Ｃ−Ｃ′に沿って切断した断面図である。
【００４４】
図５及び図６に示すように、下方モールドフレーム３５０は第１部材３１０と、第１部材３１０と並べて延ばされた第２部材３２０と、一端部が第１部材３１０の一端部と締結され、他端部が第２部材３２０の一端部と締結される第３部材３３０と、一端部が第１部材３１０の他端部と締結され、他端部が第２部材３２０の他端部と締結される第４部材３４０とを含む。
【００４５】
ここで、第３部材３３０は第１中心部３３１と、第１中心部３３１の一端部から垂直方向に延びた第１結合部３３６と、第１中心部３３１の他端部から第１結合部３３６と同方向に延びた第２結合部３３９を備える。また、第４部材３４０は第２中心部３４１と、第２中心部３４１の一端部から第１結合部３３６に向かって延びた第３結合部３４６と、第２中心部３４１の他端部から第３結合部３４６と同方向に延びた第４結合部３４９を備える。
【００４６】
第１及び第２結合部３３６、３３９は第３部材３３０の内側外表面を形成する外壁３３４、３３７と、外壁３３４、３３７の内部に形成された内壁３３５、３３８を備える。ここで、外壁３３４、３３７と内壁３３５、３３８との間は所定の間隔で離隔されて挿入スロットを形成している。従って、外壁３３４、３３７と内壁３３５、３３８との間に第１部材３１０の一端部３１１及び第２部材３２０の一端部３２１が各々挿入できる。ここで、外壁３３４、３３７と内壁３３５、３３８との間の距離は第１及び第２部材３１０、３２０の厚さより大きいことが望ましい。
【００４７】
第１結合部３３６の外壁３３４上部には第１締結孔３３４ａが形成され、第１締結孔３３４ａに対応して内壁３３５には第１締結穴（図示せず）が形成される。第２結合部３３９の外壁３３７上部には第２締結孔３３７ａが形成され、第２締結孔３３７ａに対応して内壁３３８には第２締結穴３３８ａが形成される。
【００４８】
一方、第１部材３１０の一端部３１１には第１締結孔３３４ｂに対応して第３締結孔３１１ｂが形成され、第２部材３２０の一端部３２１には第２締結孔３３７ａに対応して第４締結孔３２１ｂが形成される。
【００４９】
第４部材３４０の第３及び第４結合部３４６、３４９は、前述した第３部材３３０の第１及び第２結合部３３６、３３９と同じ形状で形成されている。具体的に、第３結合部３４６の外壁上部には第５締結孔３４６ａが形成され、内壁には第５締結孔３４６ａに対応して第３締結穴（図示せず）が形成される。また、第４結合部３４９の外壁上部には第６締結孔３４９ａが形成され、内壁には第６締結孔３４９ａに対応して第４締結穴（図示せず）が形成される。
【００５０】
第１部材３１０の他端部３１２には第５締結孔３４６ａに対応して第７締結孔３１２ｂが形成され、第２部材３２０の他端部３２２には第６締結孔３４９ａに対応して第８締結孔３２２ｂが形成される。
【００５１】
従って、第１部材３１０は一端部３１１が第３部材３３０の第１結合部３３６に挿入された後、第１スクリュー３３４ｂが第１締結孔３３４ａ、第３締結孔３１１ｂを順次に貫通し第１締結穴に締結されることにより第３部材３３０と結合される。また、第２部材３２０は一端部３２１が第２結合部３３９に挿入された後、第２スクリュー３３７ｂが第２締結孔３３７ａ、第４締結孔３２１ｂを順次に貫通し第２締結穴３３８ａに締結されることにより第３部材３３０と結合される。
【００５２】
同様に、第１部材３１０は他端部３１２が第３結合部３４６に挿入された後、第３スクリュー３４６ｂが第５締結孔３４６ａ、第７締結孔３１２ｂを順次に貫通し第３締結穴（図示せず）に締結されることにより、第４部材３４０に結合される。また、第２部材３２０は他端部３２２が第４結合部３４９に挿入された後、第４スクリュー３４９ｂが第４締結孔３４９ａ、第６締結孔３２２ｂを順次に貫通し第４締結穴に締結されることにより、第４部材３４０に結合される。これにより、矩形フレーム形状を有する下方モールドフレーム３５０が完成される。
【００５３】
図３乃至図６に示すように、下方モールドフレーム３００、３５０を構成する各部材３１０、３２０、３３０、３４０の結合構造を説明した。しかし、このような構造は本発明の一実施形態であり、ここで各部材を組立てる構造には、当業者が思いつく一般的な結合構造も十分に適用されることができる。
【００５４】
図７は本発明の他の実施形態による下方モールドフレームの構造を具体的に示した斜視図である。
【００５５】
図７に示すように、下方モールドフレーム３９０は第１部材３６０と、第２部材３７０からなり、第１部材３６０と第２部材３７０の締結により矩形フレーム形状に形成される。
【００５６】
具体的に、第１部材３６０は第１中心部３６１と、第１中心部３６１から垂直方向に延びた第２中心部３６２とを備える。ここで、第１部材３６０は第２中心部３６２から第１中心部３６１と同方向に延びた第１結合部３６３と、第１中心部３６１の端部から延びた第２結合部３６４とをさらに備える。
【００５７】
一方、第２部材３７０は第１中心部３６１と同方向に延びた第３中心部３７１と、第３中心部３７１から垂直方向に延びた第４中心部３７２とを備える。ここで、第２部材３７０は第４中心部３７２から第３中心部３７１と同方向に延びた第３結合部３７３と、第３中心部３７１から延びた第４結合部３７４とをさらに備える。
【００５８】
第１部材３６０と第２部材３７０は、第１結合部３６３が第４結合部３７４に締結され、第２結合部３６４が第３結合部３７３に締結されることにより、完全に組立てられる。具体的に、第１結合部３６３には第４結合部３７４を収納する第１収納溝３６３ａが用意され、第３結合部３７３には第２結合部３６４を収納する第２収納溝３７３ａが用意される。
【００５９】
ここで、第１部材３６０と第２部材３７０の組立をさらに堅固にするために、第１結合部３６３の上部には第１結合孔３６３ｂが形成され、第３結合部３７３の上部には第２結合孔３７３ｂが形成される。また、第４結合部３７４には第１結合孔３６３ｂに対応する第１結合突起３７４ａが形成され、第２結合部３６４には第２結合孔３７３ｂに対応する第２結合突起３６４ａが形成される。
【００６０】
従って、第１部材３６０の第１結合部３６３と第２部材３７０の第４結合部３７４は、第１結合孔３６３ｂに第１結合突起３７４ａが挿入されることにより堅固に締結される。また、第１部材３６０の第２結合部３６４と第２部材３７０の第３結合部３７３は、第２結合孔３７３ｂに第２結合突起３６４ａが挿入されることにより、堅固に締結される。これにより、矩形フレーム形状を有する下方モールドフレーム３９０が完成される。
【００６１】
ここで、第１部材３６０と第２部材３７０が孔と突起の組み合わせで結合される構造のみを提示したが、前述した下方モールドフレームの構造のように、第１部材３６０と第２部材３７０はねじ結合されることができる。
【００６２】
図８は、図５に示した下方モールドフレームにランプが収納された状態を示した斜視図である。図９は図８を切断線Ｄ−Ｄ′に沿って切断した断面図であり、図１０は図８を切断線Ｅ−Ｅ′に沿って切断した断面図である。
【００６３】
図８及び図９に示すように、下方モールドフレーム３５０は第１部材３１０と、第１部材３１０と同方向に延びた第２部材３２０と、一端部が第１部材３１０の一端部と締結され、他端部が第２部材３２０の一端部と締結される第３部材３３０と、一端部が第１部材３１０の他端部と締結され、他端部が第２部材３２０の他端部と締結される第４部材３４０とを含む。
【００６４】
ここで、第３部材３３０は第１中心部３３１と、第１中心部３３１の一端部から垂直方向に延びた第１結合部３３６と、第１中心部３３１の他端部から第１結合部３３６と同方向に延びた第２結合部３３９を備える。また、第４部材３４０は第２中心部３４１と、第２中心部３４１の一端部から垂直方向に延びた第３結合部３４６と、第２中心部３４１の他端部から第３結合部３４６と同方向に延びた第４結合部３４９を備える。
【００６５】
第３部材３３０の第１中心部３３１には、各々が所定の間隔に離隔された複数の第１ランプ収納溝３３１ａが形成され、第４部材３４０の第２中心部３４１には第１ランプ収納溝３３１ａと向き合うように第２ランプ収納溝３４１ａが形成されている。一方、ランプ２１０の両端部２１１、２１２には第１及び第２ランプホルダー２１１ａ、２１２ａが各々挿入されている。ここで、ランプ２１０の一端部２１１に設けられた第１ランプホルダー２１１ａは第１ランプ収納溝３３１ａに結合され、ランプ２１０の他端部２１２に設けられた第２ランプホルダー２１２ａは、第２ランプ収納溝３４１ａに結合される。
【００６６】
したがって、ランプ２１０は下方モールドフレーム３５０に収納され所定の間隔に離隔された状態で並べて配置される。
【００６７】
図１０に示すように、第１部材３１０は第１外側壁面３１３と、第１外側壁面３１３の一端部から内側に延びた第１定着面３１４と、第１定着面３１４から内側に延びた第１内側壁面３１５とを備える。第２部材３２０は第２外側壁面３２３と、第２外側壁面３２３の一端部から内側に延びた第２定着面３２４と、第２定着面３２４から内側に延びた第２内側壁面３２５を備える。
【００６８】
第１内側壁面３１５は第１定着面３１４から所定の角度で傾いて、第２内側壁面３２５も第２定着面３２４から所定の角度で傾いている。従って、第１及び第２内側壁面３１５、３２５はランプ２１０から発散され、液晶表示パネル（図示せず）の外側に進行する光の経路を変更して液晶表示パネル側に進行するように誘導する。従って、液晶表示パネルに提供される光の量を増加させることができ、それにより液晶表示装置の光利用効率が上昇される。
【００６９】
図１１は、図２に示したバックライトアセンブリを具体的に示した分解斜視図である。図１２は図１１を切断線Ｆ−Ｆ′に沿って切断した断面図であり、図１３は図１１を切断線Ｇ−Ｇ′に沿って切断した断面図である。
【００７０】
図１１及び図１２に示すように、直下型バックライトアセンブリ５００は複数のランプ２１０と、ランプ反射板２２０と、拡散板２３０と、光学シート２４０と、これらを収納するための収納容器からなる。収納容器は下方モールドフレーム３５０とボトムシャーシ４００を備える。
【００７１】
下方モールドフレーム３５０に複数のランプ２１０が収納されると、その上に拡散板２３０と光学シート２４０が収納される。下方モールドフレーム３５０は拡散板２３０が定着される第１端棚部３５１を備えて拡散板２３０を支持する。拡散板２３０上には光学シート２４０が配置されるが、光学シート２４０は下方モールドフレーム３５０に形成された第２端棚部３５２に定着される。第２端棚部３５２は第１端棚部３５１より拡散板２３０の厚さ程度、高く位置している。ここで、第２端棚部３５２の所定位置には光学シート２４０を固定するための固定突起３５２ａが形成されている。具体的に、固定突起３５２ａは下方モールドフレーム３５０の第３及び第４部材３３０、３４０上に各々形成されている。
【００７２】
光学シート２４０が第２端棚部３５２上に定着されると、固定突起３５２ａは光学シート２４０に形成された固定ホール２４２ａに挿入される。ここで、光学シート２４０は液晶表示パネルの有効ディスプレー領域と対応する大きさで形成された中心部２４１と、中心部２４１の両端部から外側に延び、固定ホール２４２ａが形成されている固定部２４２を備える。
【００７３】
前述した光学シート２４０が第２端棚部３５２に定着され、下方モールドフレーム３５０に収納されると、固定突起３５２ａが固定ホール２４２ａに挿入される。これにより、光学シート２４０は下方モールドフレーム３５０に堅固に固定される。従って、外部から衝撃が加わっても、光学シート２４０が浮動しないので、液晶表示装置の表示品質を向上させることができる。
【００７４】
一方、ボトムシャーシ４００は基底面４１０と、基底面４１０から延びた側壁４２０からなる。ボトムシャーシ４００の基底面４１０上にはランプ反射板２２０が設けられ、その上に下方モールドフレーム３５０が収納される。
【００７５】
図１３に示すように、ランプ反射板２２０はランプ２１０が定着されるフラット部２２１と、ランプ２１０とランプ２１０との間に形成された複数の傾斜部２２２を有する。傾斜部２２２はフラット部２２１から第１角で傾いた第１傾斜面２２２ａと、フラット部２２１から第２角で傾いて、第１傾斜面２２２ａと接する第２傾斜面２２２ｂとを備える。
【００７６】
ボトムシャーシ４００にランプ反射板２２０が収納されると、傾斜部２２２によりボトムシャーシ４００とランプ反射板２２０との間にはワイヤ収納空間２２３が形成される。即ち、ワイヤ収納空間２２３はランプ２１０の一端部から長く延びて他端部に引き出されるランプワイヤ（図示せず）を収納する。従って、液晶表示装置の組立の簡便さを向上させる。また、傾斜部２２２はランプ２１０から発散された光の経路を調節して輝度を補償する役割を有する。
【００７７】
一方、下方モールドフレーム３５０はボトムシャーシ４００に収納された後、ボトムシャーシ４００と堅固に締結される。ここで、下方モールドフレーム３５０とボトムシャーシ４００はフックによる結合またはねじ結合されることができる。
【００７８】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００７９】
【発明の効果】
本発明によると、ランプ、拡散板及び光学シートを収納する下方モールドフレームは二つ以上の部材からなり、部材の締結により矩形フレーム形状で形成される。
【００８０】
従って、バックライトアセンブリ及びこれを有する液晶表示装置のサイズが段々大型化されても、小さいサイズを有する部材を製造した後、これらを組立て一つの大型下方モールドフレームを完成することにより、大型画面を具現するバックライトアセンブリ及び液晶表示装置の製造工程の便宜性を増大させ、原価を減少させて生産性を向上させることができる。
【００８１】
また、大型下方モールドフレームの製造上で発生する捩じれ現象を最少化することにより、バックライトアセンブリ及びこれを有する液晶表示装置の組立精度を向上させることができる。
【図面の簡単な説明】
【図１】本発明の一実施形態による直下型液晶表示装置を具体的に示した分解斜視図である。
【図２】図１に示した直下型液晶表示装置を切断線Ａ−Ａ′に沿って切断した断面図である。
【図３】図２に示した下方モールドフレームを具体的に示した分解斜視図である。
【図４】図３に示した下方モールドフレームが組立てられた状態を切断線Ｂ−Ｂ′に沿って示した断面図である。
【図５】本発明他の実施形態による下方モールドフレームの結合構造を示した分解斜視図である。
【図６】図５に示した下方モールドフレームが組立てられた状態を切断線Ｃ−Ｃ′に沿って示した断面図である。
【図７】本発明の他の実施形態による下方モールドフレームを具体的に示した分解斜視図である。
【図８】図５に示した下方モールドフレームにランプが収納された構造を示した斜視図である。
【図９】図８を切断線Ｄ−Ｄ′に沿って切断した断面図である。
【図１０】図８を切断線Ｅ−Ｅ′に沿って切断した断面図である。
【図１１】図２に示したバックライトアセンブリを具体的に示した分解斜視図である。
【図１２】図１１を切断線Ｆ−Ｆ′に沿って切断した断面図である。
【図１３】図１１を切断線Ｇ−Ｇ′に沿って切断した断面図である。
【符号の説明】
１００　　ディスプレーユニット
２１０　　ランプ
２２０　　ランプ反射板
２３０　　拡散板
２４０　　光学シート
３００　　下方モールドフレーム
３１０　　第１部材
３２０　　第２部材
３３０　　第３部材
３４０　　第４部材
４００　　ボトムシャーシ
５００　　バックライトアセンブリ
６００　　上方モールドフレーム
７００　　トップシャーシ
１０００　　直下型液晶表示装置
【図１】
2004055524.tif 000003
【図２】
2004055524.tif 000004
【図３】
2004055524.tif 000005
【図４】
2004055524.tif 000006
【図５】
2004055524.tif 000007
【図６】
2004055524.tif 000008
【図７】
2004055524.tif 000009
【図８】
2004055524.tif 000010
【図９】
2004055524.tif 000011
【図１０】
2004055524.tif 000012
【図１１】
2004055524.tif 000013
【図１２】
2004055524.tif 000014
【図１３】
2004055524.tif 000015